(57)【要約】【課題】本発明は、加湿体内にスケール分等が析出した場合においても排水効率を一定に維持することで、加湿能力の低下を抑制することを目的とする。【解決手段】本発明に係る加湿装置は、保水可能な導水体を備えた加湿体を所定の間隔で配列した加湿ユニットと、給水源からの水を前記加湿ユニットに供給する給水管と、前記加湿ユニットへ供給する水の圧力を調節可能な圧力調整弁と、を備え、前記加湿体の鉛直方向最上部まで水が到達しないように前記圧力調整弁の開度を制御する制御装置と、を備えたことを特徴とする。【選択図】          図６
2014211275.tif 000002
【特許請求の範囲】
【請求項１】
保水可能な導水体を備えた加湿体を所定の間隔で配列した加湿ユニットと、
給水源からの水を前記加湿ユニットに供給する給水管と、
前記加湿ユニットへ供給する水の圧力を調節可能な圧力調整弁と、を備え、
前記加湿体の鉛直方向最上部まで水が到達しないように前記圧力調整弁の開度を制御する制御装置と、を備えた加湿装置。
【請求項２】
前記制御装置は、
前記圧力調整弁の開度を調節することにより前記加湿ユニットへ供給する水の圧力をＰ、
前記加湿体の鉛直方向最高点の高さをＨ、とした場合に、
Ｐ＜Ｈ／１０１９７２
の関係を満たすように前記圧力調整弁の開度を制御することを特徴とする請求項１に記載の加湿装置。
【請求項３】
保水可能な導水体を備えた加湿体を所定の間隔で配列した加湿ユニットと、
内部に貯水可能な給水タンクと、
給水源からの水を前記給水タンクを経由し前記加湿ユニットに供給する給水管と、
前記給水タンクの側面に内部の水を外部に放出する水位調整穴を有し、前記水位調整穴の下端が前記加湿体の鉛直方向最高点より低い位置になるように設けたことを特徴とする加湿装置。
【請求項４】
保水可能な導水体を備えた加湿体を所定の間隔で配列した加湿ユニットと、
内部に貯水可能な給水タンクと、
給水源からの水を前記給水タンクを経由し前記加湿ユニットに供給する給水管と、
前記給水管内の水を開放又は遮断する給水弁と、
前記給水タンク内の水位を検知する水位センサと、
前記加湿ユニットへの水の供給量を制御する制御装置と、を備え、
前記制御装置は、前記加湿体の鉛直方向最上部まで水が到達しないように、前記水位センサの検知結果に基づいて前記給水弁の開閉を制御することを特徴とする加湿装置。
【請求項５】
前記制御装置は、所定の上限水位値及び所定の下限水位値を有し、前記水位センサの検知結果が前記上限水位値以上の場合は前記給水弁を閉弁し、前記水位センサの検知結果が前記下限水位値以下の場合は前記給水弁を開弁することを特徴とする請求項４に記載の加湿装置。
【発明の詳細な説明】
【技術分野】
【０００１】
本発明は、自然蒸発式の加湿装置に関する。
【背景技術】
【０００２】
自然蒸発式の加湿装置はランニングコストやイニシャルコストが低く、安全性が高いことが知られている。その中でも、雑菌や炭酸カルシウム等の微粉末の飛散がなく、高い加湿能力を得ることが出来る透湿膜加湿方式（透湿膜により形成された袋状の加湿体内に水を供給し、加湿体内の水が自然蒸発することで近傍の空気を加湿する方式）が注目を浴びている（特許文献１）。
【０００３】
この透湿膜加湿方式は、加湿体内のゴミや水に溶けているスケール分（炭酸カルシウム分等）が加湿体外へ出ないため清潔に加湿を行えるという利点がある。しかしながら、加湿を行うにつれて加湿体内の水分量が減少し、溶け切れなくなったスケール分が加湿体内で析出してしまう。この析出したスケール分が加湿体を構成する透湿膜の孔に詰まり、加湿能力が低下するという問題があった。この問題を解消するため、加湿体内の水を排水する機能を備え、加湿運転の終了時や一定時間毎に加湿体内の水を排水するものがある（特許文献２）。
【先行技術文献】
【特許文献】
【０００４】
【特許文献１】特開平８−２１９５０５号公報
【特許文献２】特開平８−２４７５０９号公報
【発明の概要】
【発明が解決しようとする課題】
【０００５】
特許文献２に記載の加湿装置は加湿体内の水を一定時間毎に排水することで、スケール分を水と一緒に加湿体外に排出している。このため、使い始めは排水率が高く保たれ、加湿能力は維持できていた。しかし、一定時間毎に排水を行ったとしても透湿膜に付着等したスケール分は完全には排出できないため、スケール分が徐々に加湿体内に溜まってしまう。そして加湿体内に溜まったスケール分が徐々に透湿膜の孔に詰まることで、加湿体外への水蒸気の通過だけでなく加湿体内への空気の通過も阻害してしまうため、排水の際加湿体内が負圧となり排水効率を低下させてしまう。このように、排水効率が悪くなると、所定の時間内に加湿体内の水を完全に排出することが出来なくなるため、透湿膜内のスケールの濃度が高くなってしまい加湿能力が低下するとういう課題があった。
【０００６】
本発明は、加湿体内にスケール分等が析出した場合においても排水効率を一定に維持することで、加湿能力の低下を抑制することを目的とする。
【課題を解決するための手段】
【０００７】
本発明に係る加湿装置は、
保水可能な導水体を備えた加湿体を所定の間隔で配列した加湿ユニットと、
給水源からの水を前記加湿ユニットに供給する給水管と、
前記加湿ユニットへ供給する水の圧力を調節可能な圧力調整弁と、を備え、
前記加湿体の鉛直方向最上部まで水が到達しないように前記圧力調整弁の開度を制御する制御装置と、を備えたことを特徴とする。
【発明の効果】
【０００８】
本発明に係る加湿装置は加湿ユニット内に水を給水した際、加湿体の鉛直方向最上部まで水が来ないので、加湿体の最上部近傍はスケール分が析出せず通気性を保つことが可能となる。よって、排水の際に加湿体内が負圧にならず排水効率を一定に保つことができるため、加湿性能の低下を抑制することができる。
【図面の簡単な説明】
【０００９】
【図１】本発明の実施の形態１に係る加湿装置の構成を示す図。
【図２】本発明の実施の形態１に係る加湿装置の加湿ユニット周辺部の斜視図。
【図３】本発明の加湿ユニットを形成する加湿体を複数毎並べた構成を示す図。
【図４】本発明の加湿ユニットを形成する加湿体の構成を示す図。
【図５】本発明の実施の形態１に係る加湿ユニットと圧力調整弁の配置関係を示す図。
【図６】本発明の実施の形態１に係る加湿体内部の給排水の様子を示す模式図。
【図７】本発明の実施の形態２及び３に係る加湿の加湿ユニット周辺部の斜視図。
【図８】本発明の実施の形態２に係る給水タンク内部の構成を示す図。
【図９】本発明の実施の形態２の加湿ユニットと水位調整穴下端との高さ関係を示す図。
【図１０】本発明の実施の形態３の給水タンク内部の構成を示す図。
【図１１】本発明の実施の形態３の加湿ユニットと水位センサの高さ関係を示す図。
【発明を実施するための形態】
【００１０】
実施の形態１
本発明の実施の形態１に係る加湿装置の構成について図面を参照して説明する。
図１は本発明の実施の形態１に係る加湿装置の構成図であり、図２は本発明の実施の形態１に係る加湿装置の加湿ユニット周辺部の斜視図である。図１に示すように、加湿装置１は、内部を通過する空気を加湿する加湿ユニット２と、この加湿ユニット２に水を供給する給水部３と加湿ユニット２内に蓄えられた水を排出する排水部４と、加湿ユニット２に空気を通過させる送風機５とを備えている。
また、給水部３は、水道等の給水源と加湿ユニット２を接続する給水管３ａと、給水管３ａに取り付けられ、給水源から加湿ユニット２に流れる水を開放したり、遮断したりする給水弁３ｂと、加湿ユニット２へ供給する水の圧力を調節する圧力調整弁３ｃを備えている。給水管３ａは加湿ユニット２に形成された給水口２aと接続されている。給水源から供給された水は給水管３aを通り、給水口２ａから加湿ユニット２内に浸入する。
排水部４は、加湿ユニット２内の水を加湿装置１外に排水する排水管４ａと、排水管４ａに取り付けられ、加湿ユニット２内に水を維持したり、加湿ユニット２外に排水したりする排水弁４ｂとを備えている。排水管４ａは加湿ユニット２に形成された排水口４ｃ（図示せず）と接続されている。加湿ユニット２に蓄えられた水は排水口４ｃから加湿ユニット２外へ排出され、排水管４ａを通り加湿装置１外へ排水される。
【００１１】
加湿装置１は、さらに、送風機５の運転のＯＮ／ＯＦＦ、給水弁３ｂの開閉、排水弁４ｂの開閉及び、圧力調整弁３ｃの開度を制御する制御装置８を備えている。また、加湿装置１は利用者等が操作可能なリモコン８ａを備え、例えば利用者等がリモコン８ａの加湿運転開始ボタン又は加湿運転停止ボタンを操作すると制御装置８に加湿運転開始指令又は加湿運転停止指令を与える。また、図２に記載の加湿装置１では、加湿ユニット２は２個配置されているが、もちろん２個に限らず加湿量に応じて変更してよい。
【００１２】
つづいて、加湿ユニット２の構成について図３及び図４を参照して説明する。図３は本発明の加湿ユニットを形成する加湿体を複数毎並べた構成を示す図であり、図４は本発明の加湿ユニットを形成する加湿体の構成を示す図である。
図３に示すように、加湿ユニット２は加湿体２ｂを複数枚並べたものを外郭体２ｃ（図２に記載）内に収容することで構成される。外郭体２ｃは外郭側面部２ｄ、外郭天面部２ｅ及び外郭底天部２ｆからなり、加湿ユニット２の給気部９ａ及び排気部９ｂを形成する対向する二面は開口している。加湿ユニット２の両側面はそれぞれ外郭側面部２ｄにより、天面は外郭天面部２ｅと底面は外郭底面部２ｆによりそれぞれ閉止されている。外郭側面部２ｄの下部で給気部９ａ部近傍には給水管３ａが接続可能な給水口２ａが設けられている。なお、加湿ユニット２は被加湿空気を通す通風路９と水を蓄える加湿体２ｂとが一層おきに形成された構成となっている。
【００１３】
図４（ａ）〜図４（ｃ）に示すように、加湿体２ｂは保水可能な導水体２ｇと樹脂枠を張り合わせて構成され、下端部には加湿ユニット２の給水口２ａから浸入してきた水が通過する給水穴２ｈがある。この加湿体２ｂの樹脂枠は加湿体２ｂの外形を形成する外枠２ｉと、隣の加湿体２ｂとの間隔を確保して通風路９を形成する間隔リブ２ｊが梯子状に構成されている。図４（ｄ）に示すように導水体２ｇは、シート状の多孔質材料からなる導水部材２ｋを、水は透過しないが水蒸気は透過する透湿膜２ｌの間に挟むことで構成される。また、加湿ユニット２は各々の間隔リブ２ｊ同士が向き合わないように加湿体２ｂを並べることで構成される。
【００１４】
本実施の形態１に係る加湿装置１の給水及び排水動作について図５及び図６を参照して説明する。図５は本発明の実施の形態１に係る加湿ユニットと圧力調整弁の配置関係を示す図であり、図６は本発明の実施の形態１に係る加湿体２ｂ内部の給排水の様子を示す模式図である。なお、加湿装置１による運転は、給水源から加湿体２ｂへ水を供給する給水運転と、送風機５により送風された空気を加湿する加湿運転と、加湿体２ｂから加湿ユニット２外に水を排出する排水運転と、に大きく分けられる。
【００１５】
加湿装置１の給水運転及び加湿運転について説明する。
加湿装置１の運転が停止状態であるときは、送風機５の運転は停止し、給水弁３ｂ、排水弁４ｂ及び圧力調整弁３ｃは閉弁している。加湿装置１の運転が停止状態である場合において、利用者がリモコン８ａで加湿運転開始ボタンを選択すると、リモコン８ａは制御装置８に加湿運転開始指令を与える。指令を受けた制御装置８は、送風機５に送風開始指令を与え、給水弁３ｂに開弁指令を与え、圧力調整弁３ｃに開度調整指令を与える。すると、送風機５の運転が開始し、給水弁３ｂが開き、圧力調整弁３ｃが開き、給水源から加湿ユニット２内へ水の供給が開始する。
【００１６】
圧力調整弁３ｃの開度については以下のように制御を行う。図５に示すように圧力調整弁３ｃの出口の高さを基準（Ｘ＝０）とし、加湿体２ｂの鉛直方向最高点の高さをＨ[ｍｍ]、供給される水の加湿体２ｂ内での到達点をａ[ｍｍ]とすると、
ａ＜Ｈ      ・・・・式（Ａ）
の関係を満たすような範囲で圧力調整弁３ｃの開度を制御する必要がある。また、圧力Ｐ[ＭＰａ]と水の到達点[ｍｍ]との関係は１ＭＰａ＝１０１９７２ｋｇ／ｍ２より、１ＭＰａ＝１０１９７２ｍｍＨ２Ｏである。この１０１９７２が圧力と水の高さの単位の変換係数である。このため、式（Ａ）を満たすためには圧力調整弁３ｃにより調整する圧力Ｐは、
Ｐ＜Ｈ／１０１９７２      ・・・式（Ｂ）
の関係を満たせばよい。よって、圧力調整弁３ｃの開度を上記式（Ｂ）の関係を満たす範囲内で調整することで、給水源から加湿ユニット２に供給される水が加湿体２ｂ内で最高点まで到達しない。
【００１７】
続いて、給水時の加湿体２ｂ内での水位の変化について図６を用いて説明する。
上記の式（Ｂ）の関係を満たす範囲内で圧力調整弁３ｃを調整すると目標とするａ[ｍｍ]に達するまで給水を続ける（図６（ａ））。そして、徐々に水位が上昇していき、目標とするａ[ｍｍ]に水が達すると給水は完了する（図６（ｂ））。なお、圧力調整弁３ｃにより供給される圧力Ｐと水の重力による圧力Ｐ’はつりあっている。また、加湿体２ｂ内の最上部には水が到達しない空間である未給水空間１０を有する。給水が完了すると、制御装置８は給水弁３ｂ及び圧力調整弁３ｃを閉弁する指令を与え、給水弁３ｂ及び圧力調整弁３ｃを閉弁させる。その後は送風機５のみ運転し、被加湿空気を加湿ユニット２内に吸い込み、加湿ユニット２内で自然蒸発により加湿し、加湿ユニット２外に排出する加湿運転を行う。
【００１８】
つづいて、加湿装置１の排水運転について説明する。
加湿装置１が加湿運転状態のときは、送風機５は運転し、給水弁３ｂ、排水弁４ｂ及び圧力調整弁３ｃは閉弁状態である。加湿装置１が加湿運転状態である場合において、利用者がリモコン８ａで加湿運転停止ボタンを選択すると、リモコン８ａは制御装置８に加湿運転停止指令を与える。指令を受けた制御装置８は送風機５に送風停止指令を与え、排水弁４ｂに開弁指令を与える。すると、送風機５の運転が停止し、排水弁４ｂが開くことで、加湿ユニット２内の水が排水管４ａを通り、加湿装置１外へ排水される。なお、上記では排水運転の際に送風機５の運転を停止したが、排水運転中、送風機５を運転させていてももちろんよい。
【００１９】
上記したように、給水時に式（Ｂ）の関係を満たしているため、加湿体２ｂの最上部に未給水空間１０を有する。図６（ｃ）に示すように、未給水空間１０には給水された水が到達しないため、スケール分が析出することはない。よって、未給水空間１０では空気の流通が十分に行われるため、排水時の加湿体２ｂ内部が負圧になることを防ぐことができる。この効果は加湿ユニット２を長期間使用し、加湿体２ｂ内部にスケールが十分付着した状態でも同様である。そのため、長期間使用しても排水効率は高いまま維持され、加湿ユニット２の加湿能力の低下を抑制することが出来る。また、加湿ユニット２の加湿能力の低下を抑制できると、加湿ユニット２を交換する期間を延ばせるので、省資源化にも繋がる。また、圧力調整弁３ｃを使用することにより、加湿ユニット２まで外界に触れずに給水することができ、臭いやホコリ、汚れ等が入ることが無いため、衛生面でも優れた効果を有する。ただし、圧力調整弁３ｃの圧力設定時に式（Ｂ）を満たす場合であってもあまりに圧力Ｐを小さくしてしまうと加湿体２ｂ内の水位が低下し、加湿能力が初期から低下することとなる。そのため、圧力Ｐはなるべく式（Ｂ）を満たす範囲内で大きい値のほうが望ましい。
【００２０】
そして、排水運転が所定の時間経過すると、制御装置８は排水弁４ｂに閉弁する指令を与え、排水弁４ｂは閉弁する。こうして、排水運転が終了し、加湿装置１の運転が終了する。
【００２１】
本発明の実施の形態１に係る加湿装置１は、給水した際に加湿体２ｂの鉛直方向最上部まで水が来ないので、加湿ユニット２の最上部近傍ではスケール分が析出せず通気性を保つことが可能となる。よって、排水の際に透湿膜２ｌ内が負圧にならず排水効率を一定に保つことができるため、加湿性能の低下を抑制することができる。
【００２２】
実施の形態２
実施の形態１は給水部３に圧力調整弁３ｃを設け、圧力調整弁３ｃの開度を制御することで加湿体２ｂの最上部まで水が来ないようにしたのに対し、本実施の形態２は、給水部３に給水タンク１１を備え、その給水タンク１１の構成に特徴を有するものである。その他の構成については実施の形態１と同様であるため、説明は省略する。実施の形態２の説明について図７から図９を用いて説明する。図７は本発明の実施の形態２及び３に係る加湿の加湿ユニット２周辺部の斜視図であり、図８は本発明の実施の形態２に係る給水タンク１１内部の構成を示す図であり、図９は本発明の実施の形態２の加湿ユニット２と水位調整穴下端との高さ関係を示す図である。
【００２３】
図７に示すように、本実施の形態２に係る給水部３は、給水源からの水を前記給水タンク１１を経由し前記加湿ユニット２に供給する給水管３ａと、前記給水管３ａ内の水を開放又は遮断する給水弁３ｂと、給水源から供給された水を内部に貯水可能な給水タンク１１と、を備えている。給水弁３ｂを開くと、給水源から給水管３ａを通って給水タンク１１に水が供給され、給水タンク１１から給水管３ａを通って加湿ユニット２に水が供給される。給水タンク１１は図８に示すような構成をしている。給水タンク１１には内部の水を外部に放出する水位調整穴１２を有する。給水源から給水タンク１１に水が供給され、時間の経過と共に次第に給水タンク１１内の水位が上昇していき、水位調整穴１２の最下点である水位調整穴下端１３に達すると水位調整穴１２から水がオーバーフローする。こうして、給水タンク１１内では水位は水位調整穴下端１３の高さで一定に保たれる。
【００２４】
給水タンク１１の設置位置は、図９に示すように、水位調整穴下端１３が加湿ユニット２の加湿体２ｂの鉛直方向で一番高い位置より低い位置になるように設置する。こうすることで、加湿体２ｂ内の水面は水位調整穴下端１３と同じ高さまでしか上昇しないため、加湿体２ｂ上部にスケール分が付着しない未給水空間１０を作ることが出来る。
【００２５】
実施の形態２に係る加湿装置１の給水運転及び加湿運転について説明する。
加湿装置１の運転が停止状態のときは、送風機５の運転は停止し、給水弁３ｂ、排水弁４ｂは閉弁状態である。この加湿装置１の運転が停止状態である場合において、利用者がリモコン８ａで加湿運転開始ボタンを選択すると、リモコン８ａは制御装置８に加湿運転開始指令を与える。指令を受けた制御装置８は送風機５に送風開始指令を与え、給水弁３ｂに開弁指令を与える。すると、送風機５の運転が開始し、給水弁３ｂが開くことで給水源から給水タンク１１へ水の供給が開始される。さらに、給水タンク１１に供給された水は給水タンク１１から給水管３ａを通って加湿ユニット２に供給される。時間の経過と共に給水タンク１１内の水位及び加湿ユニット２内の水位は上昇し、給水タンク１１内の水位が水位調整穴下端１３に達すると給水タンク１１内の水がオーバーフローする。すると給水タンク１１内の水位は水位調整穴下端１３の高さで一定に保たれ、加湿ユニット２内の水位も水位調整穴下端１３と同じ高さで保たれる。最後に、給水タンク１１及び加湿ユニット２の水位が水位調整穴下端１３に達したと推定される所定の時間の経過後に制御装置８は給水弁３ｂに給水弁３ｂを閉める指令を与え、給水弁３ｂが閉弁することで給水運転は終了する。給水運転が終了すると、制御装置８は給水弁３ｂを閉める指令を与え、給水弁３ｂを閉弁させる。その後は送風機５のみ運転し、被加湿空気を加湿ユニット２内に吸い込み、加湿ユニット２内で自然蒸発により加湿し、加湿ユニット２外に排出する加湿運転を行う。
【００２６】
つづいて、実施の形態２に係る加湿装置１の排水運転について説明する。
加湿装置１が加湿運転状態のときは、送風機５は運転し、給水弁３ｂ、排水弁４ｂは閉弁状態である。加湿装置１が加湿運転状態の場合において、利用者がリモコン８ａで加湿運転停止ボタンを選択すると、リモコン８ａは制御装置８に加湿運転停止指令を与える。つづいて、指令を受けた制御装置８は送風機５に送風停止指令を与え、排水弁４ｂに開弁指令を与える。すると送風機５の運転が停止し、排水弁４ｂが開くことで加湿ユニット２内の水は排水管４ａを通り、加湿装置１外へ排水される。なお、上記では排水運転の際に送風機５の運転を停止したが、排水運転中、送風機５を運転させていてももちろんよい。そして、排水動作が所定の時間経過すると、制御装置８は排水弁４ｂに閉弁する指令を送り、排水弁４ｂを閉弁する。こうして、排水運転が終了する。
【００２７】
本発明の実施の形態２に係る加湿装置１は、給水した際に加湿体２ｂの鉛直方向最上部まで水が到達しないように制御するので、加湿ユニット２の最上部近傍ではスケール分が析出せず通気性を保つことが可能となる。よって、排水の際に透湿膜２ｌ内が負圧にならず排水効率を一定に保つことができるため、加湿性能の低下を抑制することができる。また、上記のような構成にすることで水面の上下変動をほとんど生じずに水位を調整することが出来るため、より確実に加湿体２ｂ内の水位の調整が行える。また構成部品も圧力調整弁３ｃが不要となるため簡略となり、一層の省資源化を達成することができる。
【００２８】
実施の形態３
実施の形態３は実施の形態２で示した加湿装置１の給水タンク１１内の構成を変更したものである。その他の構成は実施の形態２と同じである。従って、実施の形態１及び２と同じ構成については説明を省略し、相違点のみ説明する。実施の形態３の説明について図１０及び図１１を用いて説明する。図１０は本発明の実施の形態３の給水タンク１１内部の構成を示す図であり、図１１は本発明の実施の形態３の加湿ユニットと水位センサの高さ関係を示す図である。
【００２９】
本実施の形態３にかかる給水タンク１１の構成は図１０に示すように、給水タンク１１内には給水タンク１１内部の水位を検知する水位センサ１４を有する。制御装置８は水位センサ１４で検知された水位に基づいて給水弁３ｂの開閉を制御する。水位センサ１４は給水タンク１１内の水位が設定された上限水位値Ａ以上となったことを検知すると、その信号を制御装置８へ送り、制御装置８は給水弁３ｂを閉弁する。また、水位センサ１４は給水タンク１１内の水位が設定された下限水位値Ｂ以下となったことを検知すると、その信号を制御装置８へ送り、制御装置８は給水弁３ｂを開弁する。この動作の繰り返しにより給水タンク１１内の水位は水位センサ１４の下限水位値Ｂ以上、上限水位値Ａ以下の範囲に制御される。
【００３０】
図１１に示すように上限水位値Ａが、加湿ユニット２の加湿体２ｂの鉛直方向で一番高い位置より低い位置になるように設定する。こうすることで、給水タンク１１内の水面の上限水位値Ａと同じ高さまでしか加湿体２ｂ内部の水面は上がらないため、加湿体２ｂにスケール分が付着しない未給水空間１０を作ることが出来る。
【００３１】
実施の形態３に係る加湿装置１は、給水した際に加湿体２ｂの鉛直方向最上部まで水が来ないように制御するので、加湿ユニット２の最上部近傍ではスケール分が析出せず通気性を保つことが可能となる。よって、排水の際に透湿膜２ｌ内が負圧にならず排水効率を一定に保つことができるため、加湿性能の低下を抑制することができる。また、水をオーバーフローさせている実施の形態２に係る加湿装置１よりも必要な水の量が少なくなるので、より省資源化を促進できる。また水位の調整を水位センサ１４の設定で行うことが出来るため、実施の形態１に係る加湿装置１よりも水位の調整が容易である。
【符号の説明】
【００３２】
１  加湿装置、２  加湿ユニット、２ａ  給水口、２ｂ  加湿体、２ｃ  外郭体、２ｄ  外郭側面部、２ｅ  外郭天面部、２ｆ  外郭底面部、２ｇ  導水体、２ｈ  給水穴、２ｉ  外枠、２ｊ  間隔リブ、２ｋ  導水部材、２ｌ  透湿膜、３  給水部、３ａ  給水管、３ｂ  給水弁、３ｃ  圧力調整弁、４  排水部、４ａ  排水管、４ｂ  排水弁、４ｃ  排水口、５  送風機、８  制御装置、８ａ  リモコン、９  通風路、９ａ  給気部、９ｂ  排気部、１０  未給水空間、１１  給水タンク、１２  水位調整穴、１３  水位調整穴下端、１４  水位センサ、
【図１】
2014211275.tif 000003
【図２】
2014211275.tif 000004
【図３】
2014211275.tif 000005
【図４】
2014211275.tif 000006
【図５】
2014211275.tif 000007
【図６】
2014211275.tif 000008
【図７】
2014211275.tif 000009
【図８】
2014211275.tif 000010
【図９】
2014211275.tif 000011
【図１０】
2014211275.tif 000012
【図１１】
2014211275.tif 000013